(57)【要約】【課題】コネクタ嵌合過程におけるコネクタおよび相手コネクタの導電端子同士の摺接によって相手端子での異物が除去される電気コネクタを提供する。【解決手段】本発明の相手コネクタが嵌合される挿入凹部を有するハウジングと、ハウジングに保持される複数の導電端子とを含む電気コネクタにおいて、導電端子は、ハウジングに保持される保持部と、挿入凹部までに突出する相手端子に接触する第一接触部とを備え、第一接触部は、第一凸状部と第二凸状部とが設けられ、第一凸状部と第二凸状部に、コネクタ嵌合が進行する時に相手端子での異物を除去できる摺接部と、第一接触部の延在方向に前記摺接部の一側方に位置して、相手端子に接触する第一接触区域とがそれぞれ設けられる。【選択図】図５
2013229333.tif 000002
【特許請求の範囲】
【請求項１】
相手コネクタが嵌合される挿入凹部を有するハウジングと、前記ハウジングに保持される複数の導電端子とを含む電気コネクタにおいて、
前記導電端子は、前記ハウジングに保持される保持部と、前記挿入凹部までに突出する相手端子に接触する第一接触部とを備え、
前記第一接触部は、第一凸状部と第二凸状部とが設けられ、
前記第一凸状部と第二凸状部に、コネクタ嵌合が進行する時に相手端子での異物を除去できる摺接部と、第一接触部の延在方向に前記摺接部の一側方に位置して、相手端子に接触する第一接触区域とがそれぞれ設けられることを特徴とする電気コネクタ。
【請求項２】
前記第一凸状部と第二凸状部は、前記第一接触部の延在方向に第一接触部に連続するように配置されることを特徴とする請求項１に記載の電気コネクタ。
【請求項３】
前記第一凸状部と第二凸状部が傾斜するように配置され、前記第一凸状部の摺接部と第二凸状部の摺接部とは、コネクタ嵌合方向で同一な平面に位置することを特徴とする請求項２に記載の電気コネクタ。
【請求項４】
前記第二凸状部は、前記第一接触部に凹んで形成され、前記第一接触部の自由末端とすることを特徴とする請求項２に記載の電気コネクタ。
【請求項５】
前記第一凸状部と第二凸状部とは、前記第一接触部の幅広方向に並行する両凸リブをそれぞれ含むことを特徴とする請求項２に記載の電気コネクタ。
【請求項６】
前記第一接触部は、前記第一接触部の幅広方向に、相手端子での除去される異物を収容するために、前記第一凸状部の両凸リブの間に形成される第一溝部と、前記前記第二凸状部の両凸リブの間に形成される第二溝部とが設けられることを特徴とする請求項５に記載の電気コネクタ。
【請求項７】
前記第一凸状部と第二凸状部とは、前記第一接触部の幅広方向に第一接触部に並行に配置されることを特徴とする請求項１に記載の電気コネクタ。
【請求項８】
前記第一接触部に、第一接触部の延在方向に前記摺接部の他側方に位置する連接壁を有し、前記摺接部が前記連接壁と前記第一接触区域の連接する箇所に配置されることを特徴とする請求項７に記載の電気コネクタ。
【請求項９】
前記第一接触区域と連接壁との間は鈍角を呈するように配置されることを特徴とする請求項８に記載の電気コネクタ。
【請求項１０】
前記第一凸状部と第二凸状部との間に、相手端子での除去される異物を収容するための第一溝部が形成されることを特徴とする請求項７に記載の電気コネクタ。
【請求項１１】
前記導電端子は、端子対向方向で第一接触部に対応する第二接触部を有し、該第二接触部に間隔し配置される二つの第二接触区域と、二つの第二接触区域の間に形成される第三溝部とを含む請求項１〜１０のいずれか１項に記載の電気コネクタ。
【発明の詳細な説明】
【技術分野】
【０００１】
本発明は、電気コネクタに関し、より具体的には、導電端子を有する電気コネクタに関する。
【背景技術】
【０００２】
従来の電気コネクタは、絶縁ハウジングと、該絶縁ハウジングに保持される複数の導電端子とを含む。絶縁ハウジングには相手コネクタが嵌合されるための収容空間が開放して形成され、前記各導電端子は収容空間へ突出する接触部を備える。使用する時に、電気コネクタの導電端子の接触部が相手コネクタの導電端子の接触に接続することによって、コネクタと相手コネクタとの間は、電気的に接続され導通することを実現される。
【発明の概要】
【発明が解決しようとする課題】
【０００３】
しかしながら、相手コネクタを嵌合するために、電気コネクタの収容空間が開放するように配置されることは必要になる。相手コネクタが挿入されていないときに、絶縁異物、塵埃等が収容空間に入り込むと、収容空間に露出されている導電端子の接触部が汚れる恐れがあった。従って、相手コネクタをコネクタの収容空間に嵌合する時に、異物の侵入等により、相手コネクタの導電端子と電気コネクタの導電端子との接触領域が接続不良を招いて、安定な信号伝達ができなくなる恐れがある。したがって、新たな電気コネクタを開発することが必要である。
【０００４】
本願発明は、このような事情に鑑み、コネクタ嵌合過程におけるコネクタおよび相手コネクタの導電端子同士の摺接によって相手端子での異物が除去される電気コネクタを提供することを目的とする。
【課題を解決するための手段】
【０００５】
本発明の相手コネクタが嵌合される挿入凹部を有するハウジングと、前記ハウジングに保持される複数の導電端子とを含む電気コネクタにおいて、前記導電端子は、前記ハウジングに保持される保持部と、前記挿入凹部までに突出する相手端子に接触する第一接触部とを備え、前記第一接触部は、第一凸状部と第二凸状部とが設けられ、前記第一凸状部と第二凸状部に、コネクタ嵌合が進行する時に相手端子での異物を除去できる摺接部と、第一接触部の延在方向に前記摺接部の一側方に位置して、相手端子に接触する第一接触区域とがそれぞれ設けられる。
【発明の効果】
【０００６】
従来技術に比べ、本発明は以下の利点を有する。電気コネクタは、導電端子の第一接触部に配置される第一凸状部と第二凸状部には、摺接部と、摺接部の一側方に位置する第一接触区域をそれぞれ設けられることによって、コネクタ嵌合を進行すると、相手端子での異物が安定に除去されできつつ、相手端子の間に少なくともの二点で接続するので、コネクタ嵌合の安定性が提高され、信号伝達に有利になる。
【図面の簡単な説明】
【０００７】
【図１】本発明に係る電気コネクタの斜視図である。
【図２】本発明に係る電気コネクタの吸取部材がハウジングから取り外した斜視図である。
【図３】図２に示す電気コネクタが他の角度から見た斜視図である。
【図４】本発明に係る電気コネクタのハウジングの斜視図である。
【図５】本発明に係る導電端子の第一実施状態の斜視図である。
【図６】図５に示す導電端子の他の角度から見た斜視図である。
【図７】本発明に係る導電端子の第二実施状態の斜視図である。
【図８】図７に示す導電端子の他の角度から見た斜視図である。
【発明を実施するための形態】
【０００８】
以下、添付図面に基づいて本発明に係る電気コネクタの実施形態を説明する。
【０００９】
本実施形態に係る回路基板用電気コネクタ１００は、略直方体外形をなす合成樹脂製のハウジング２と、該ハウジング２の長手方向で該ハウジング２に配列保持される複数の金属製の導電端子３とを有する。
【００１０】
図１乃至図４を参照すると、ハウジング２は、上壁２１と、上壁２１に反する底壁２２と、上壁２１と底壁２２を連接して端子配列方向に延在する側壁２３と、ハウジング２に端子配列方向に延在して上方に開口する挿入凹部２４と、挿入凹部２４に突出する中央壁部２５と、を含む。該挿入凹部２４は、コネクタ嵌合時において相手コネクタ（図示せず）を受け入れる空間として機能する。
【００１１】
各側壁２３は、コネクタ嵌合方向に延びる前記挿入凹部２４に連通して形成される複数の第一収容部２３１と、コネクタ嵌合方向に延びて前記第一収容部２３１に反する第二収容部２３２と、側壁２３の上部からコネクタ嵌合方向に直交する方向に延び凹んで前記第一収容部２３１と第二収容部２３２を連接するための第一連接溝２３３とが設けられる。第一収容部２３１はハウジング２の底壁２２を貫通せず、第二収容部２３２はハウジング２の底壁２２を厚さの方向に沿って貫通して、前記第一連接溝２３３の深さは第一収容部２３１と第二収容部２３２より浅い。前記導電端子３は前期第一収容部２３１と、第二収容部２３２と、第一連接溝２３３により収容し保持される。前記ハウジング２の側壁２３の外側に前記第二収容部２３２に連通する待避溝２３４が設けられ、待避溝２３４は、ハウジング２を貫通して形成され、ハウジング２の長手方向に待避溝２３４の幅は第二収容溝２３２より狭い。
【００１２】
前記中央壁部２５の両側に、前記第一収容溝２３１に対応する第三収容部２５１がそれぞれ形成され、第三収容部２５１が挿入凹部２４に連通している。前記ハウジング２の底壁２２に前記第二収容部２３２と第三収容部２５１を連接するように前記挿入凹部２４に連通する第二連接溝２２１が凹んで形成される。
【００１３】
前記ハウジング２の各側壁２３の外側に複数の係止凸部２６が突出するように設けられ、係止凸部２６同士の間に、待避溝２３４が配置される。各係止凸部２６にガイド部２６１が傾斜し形成される。
【００１４】
電気コネクタ１００のハウジング２に組付けられる吸取部材５は、真空吸盤装置（図示せず）が操作を行うために滑らかで平らな吸取板５１と、吸取板５１の側縁から下向きに延びる固持アーム５２とを含む。固持アーム５２は、係止凸部２６を収容するための受入溝５２１と、係止凸部２６の下部に係合するための係合壁５２２と、待避溝２３４の内壁に当接すことにより、吸取部材５の水平方向の移動を制限できる係止部５２３とが設けられる。吸取板５１は、ハウジング２の上壁２１に当接する突出部５１１と、前記受入溝５２１に連通する窓部５１２とを有する。固持アーム５２は受入溝５２１の両側での内側壁５２５が配置され、係止部５２３に待避溝２３４の一内壁に当接する当接壁５２３１が設けられ、前記内側壁５２５と当接壁５２３１が同じ平面に配置される。固持アーム５２に取り付けする時に、前記係止凸部２６のガイド部２６１に沿って案内し移動できる案内面５２４が傾斜するように形成される。そこで、吸取部材５がハウジング２に安定に保持されつつ各方向の移動が制限される。このため、真空ノズルによってコネクタ１００の吸取部材５を吸着して持ち上げることができ、コネクタ１００の自動実装を容易に行うことができる。
【００１５】
図５と図６を参照して、電気コネクタ１００の導電端子３の第一実施状態においての構造に説明している。導電端子３は、帯状の金属板を板厚方向に屈曲し、かつ、加圧して形成されており、前記複数の導電端子３がハウジング２に二列で配置される。各導電端子３は、コネクタ嵌合方向に延びつつ第二収容部２３２に保持される保持部３１と、保持部３１の一端から電気コネクタ外方へ向けて延びる接続部３２と、前記保持部３１の他端から屈曲し伸びる屈曲部３３と、屈曲部３３の下端とを連接しコネクタ嵌合方向に延びる第二接触部３４と、上記第二接触部３４の下端とを連結し第二連接溝２２１内で端子対向方向に延びる第一連結部３５と、第一連結部３５から上向きに屈曲し伸び前記第三収容部２５１に収容される第二連結部３６と、第二連結部３６の末端から該コネクタ嵌合方向に延びる第一接触部３７と、を含む。
【００１６】
前記屈曲部３３が第一連接溝２３３に収容され、前記第二接触部３４が前記第一収容部２３１に収容されつつ第一収容部２３１の内壁に押圧される。前記第一接触部３７と第二接触部３４は、対向するように配置されつつ前記挿入凹部２４に延びている。導電端子３が該コネクタ嵌合方向に沿ってハウジング２に取り付ける時に、接続部３２が待避溝２３４を貫通して回路基板に接続している。
【００１７】
各第一接触部３７は、第一接触部の延在方向に第一凸状部３７１と第二凸状部３７２とを階段状を呈するように連続し設けられ、前記第一凸状部３７１と第二凸状部３７２には、コネクタ嵌合が進行する時に相手端子での異物を除去できる摺接部３７３と、第一接触部の延在方向に前記摺接部の一側方に位置する相手端子に嵌合するための第一接触区域３７４とがそれぞれ形成される。コネクタ嵌合方向で、第二凸状部３７２は、第一接触部３７の自由末端として第一凸状部３７１の下方に位置される。第一凸状部３７１と第二凸状部３７２は傾斜するように配置されるので、前記第一凸状部３７１の摺接部３７３と第二凸状部３７２の摺接部３７３とは、コネクタ嵌合方向に同一な平面に位置している。端子対向方向に、摺接部３７３が第一接触部３７の先端とするので、相手コネクタを挿入する時に、摺接部３７３が相手コネクタの相手端子に先に接触している。
【００１８】
電気コネクタ１００の各導電端子３は、第一接触部３７には少なくとも二つの摺接部３７３が設けられるので、コネクタ嵌合が進行すると、相手端子が前記摺接部３７３に連続に乗り上げてその接圧を急激に増し、該摺接部３７３と相手端子とがコネクタ嵌合方向でそのまま摺接する。したがって、導電端子３と相手端子との間に異物が存在している場合であっても、上記相手端子と摺接部３７３との高い接圧での二回の摺接により該異物が除去され、同時に、コネクタ１００の導電端子３が相手端子との間に二点で接続するので、コネクタ嵌合の安定性が保障される。
【００１９】
前記第一凸状部３７１は、二つの凸リブが並行に構成され、第二凸状部３７２も二つの凸リブが並行に構成される。また、第一接触部３７には、幅広方向で前記第一凸状部３７１の両凸リブの間に形成される第一溝部３７５と、前記第二凸状部３７２の両凸リブの間に形成される第二溝部３７６とが設けられ、前記第一溝部３７５は第一凸状部３７１の摺接部３７３によって除去された相手端子での異物を収容でき、前記第二溝部３７６は第二凸状部３７２の摺接部３７３によって除去された相手端子での異物を収容できる。該第一溝部３７５と第二溝部３７６とは導電端子の幅方向で第一接触部３７の中央にそれぞれ配置される。
【００２０】
導電端子３の第二接触部３４は、二つの第二接触区域３４１と、両第二接触区域の間に形成される第三溝部３４２とが設けられる。前記両第二接触区域３４１は、第一接触部３７の第一接触区域３７４にそれぞれ対応するように配置される。
【００２１】
本発明に係る電気コネクタは、導電端子３は、第一接触部３７の延びる方向に沿って少なくとも二つの凸状部３７１、３７２が連続し配置されつつ、各凸状部３７１、３７２に摺接部３７３と、摺接部３７３の一側方に位置する第一接触区域をそれぞれ設けられ、これによって、各導電端子３は、少なくとも二つの摺接部３７３と第一接触区域がそれぞれ配置されるので、相手端子での異物が安定に除去されでき、同時に、相手端子の間に少なくともの二点で接続するので、コネクタ１００と相手コネクタとは、接続の安定性が高められ、安定な信号伝達ができる。
【００２２】
図７と図８を参照して、電気コネクタ１００の導電端子３の第二実施状態の構造に説明している。導電端子３の第一実施状態と異なるのは、第一接触部３７の構造だけであるので、他部分の同じ構造は説明を省略する。
【００２３】
第二実施状態の第一接触部３７は、第一接触部３７の幅広方向に第一凸状部３７１、第二凸状部３７２が並行に設けられる。第一凸状部３７１と第二凸状部３７２にコネクタ嵌合が進行する時に相手端子での異物を除去できる摺接部３７３、第一接触部３７の延在方向に摺接部３７３の一側方に位置する相手端子に接触する第一接触区域３７４と、摺接部３７３の他側方に位置する連接壁３７７と、をそれぞれ含む。前記摺接部３７２が前記連接壁３７７と前記第一接触区域３７４の連接する箇所に配置され、前記連接壁３７７と第一接触区域３７４との間に鈍角を呈する。そこで、第一接触部３７に両第一接触区域３７４と両摺接部３７３が配置されるので、コネクタ嵌合する時に、相手端子での異物を除去しつつ相手端子との間に二点で接続するので、コネクタ嵌合の安定性が保障される。
【００２４】
以上本発明について最良の実施の形態を参照して詳細に説明したが、実施形態はあくまでも例示的なものであり、これらに限定されない。また上述の説明は、本発明に基づきなしうる細部の修正或は変更など、いずれも本発明の請求範囲に属するものとする。
【符号の説明】
【００２５】
１００  電気コネクタ
２  ハウジング
３  導電端子
３１  保持部
３２  接続部
３３  屈曲部
３４  第二接触部
３７  第一接触部
３７１  第一凸状部
３７２  第二凸状部
３７３  摺接部
３７４  第一接触区域
３７５  第一溝部
３７６  第二溝部
【図１】
2013229333.tif 000003
【図２】
2013229333.tif 000004
【図３】
2013229333.tif 000005
【図４】
2013229333.tif 000006
【図５】
2013229333.tif 000007
【図６】
2013229333.tif 000008
【図７】
2013229333.tif 000009
【図８】
2013229333.tif 000010